(57)【要約】      （修正有）【課題】住宅のキッチン室内におけるキッチンユニットの下部空間内に、ダストボックスユニットを、容易に引き出し収納自在に収納するようにしたダストボックス付きキッチンの構造を提供する。【解決手段】住宅室内のキッチンユニット上部の流し台本体２の下部空間３内に、ダストボックスユニット１０を設け、ダストボックスユニット１０は、内底部上にダストボックス１６などが支持自在とされ、底部に移動用キャスター１２が設けられたワゴン枠体１１と、ワゴン枠体１１の前面に固定された正面板１３であって、キッチンユニットの前面板と面一になる正面板１３と、を有し、正面板１３の前面には引き出し用の把手部１４を設け、ワゴン枠体１１背部の把手部１４の下方位置に、重錘１５を設け、ダストボックスユニット１０は、把手部１４を持ってキッチンユニットの前方に引き出し収納自在とした。【選択図】図４
0003203866.tif 000002
【実用新案登録請求の範囲】
【請求項１】
住宅室内にキッチンユニットが設置され、キッチンユニット上部の流し台本体の下部空間内に、ダストボックスユニットが設けられたダストボックス付きキッチンの構造であって、
前記ダストボックスユニットは、内底部上にダストボックスなどが支持自在とされ、底部に移動用キャスターが設けられたワゴン枠体と、ワゴン枠体の前面に固定された正面板であって、前記キッチンユニットの前面板と面一になる正面板と、を有し、
前記正面板の前面には引き出し用の把手部が設けられ、前記ワゴン枠体背部の把手部の下方位置には、重錘が設けられ、
前記ダストボックスユニットは、前記把手部を持って前記キッチンユニットの前方に引き出し収納自在とされていることを特徴とするダストボックス付きキッチンの構造。
【請求項２】
前記ダストボックスユニットは、前記キッチンユニット上部の流し台本体におけるシンクの下部空間内に設けられていることを特徴とする請求項１記載のダストボックス付きキッチンの構造。
【請求項３】
前記把手部は、前記正面板の前面において横方向に長尺なバー体により構成され、前記重錘は、横方向に長尺な金属板体若しくは棒体であって、横方向に連続又は断続して設けられていることを特徴とする請求項１又は２に記載のダストボックス付きキッチンの構造。
【請求項４】
前記把手部は、前記正面板前面の複数位置に設けられた複数の把手よりなり、前記重錘は、前記ワゴン枠体背部に間隔をおいて設けられた複数の重錘よりなることを特徴とする請求項１又は２に記載のダストボックス付きキッチンの構造。
【請求項５】
前記把手部は、前記正面板の上下方向の中間線よりも上方の位置に設けられ、前記重錘は、前記把手部よりも下方の位置における、前記ワゴン枠体の背部に設けられていることを特徴とする請求項１乃至４のいずれか１項に記載のダストボックス付きキッチンの構造。
【考案の詳細な説明】
【技術分野】
【０００１】
本考案は、キッチンユニットが設置されている住宅のキッチンに、ダストボックスが設けられたダストボックス付きキッチンの構造に関する。本考案は、マンションタイプの集合住宅の他、規格建築される戸建て住宅のキッチンにも適応可能である。
【背景技術】
【０００２】
一般にマンションなどの規格建築される集合住宅のキッチン室は手狭であり、充分なゴミ収容容積を有するダストボックスを置くことがキッチン室内の有効なレイアウト上困難となる。また、分別ゴミ出しの要請から、複数のダストボックスを置くことが便利であるが、その設置は上記レイアウト上困難となる。さらに、リビング・ダイニング・キッチン室のような、リビング室又はダイニング室と連続するキッチン室では、キッチン室内に置かれたダストボックスが目障りであり、生ゴミなどの匂いがリビング室又はダイニング室に漏れやすいという不具合もある。
【０００３】
下記特許文献１には、複数個のごみ箱が、縦一列となって積み上げられた構造の引出し式分別ごみ箱が提案されている。
【０００４】
特許文献１の分別ごみ箱は、ごみの出し入れ時には、上部のごみ箱を下ろさなければならず、不便である。
また、特許文献１の分別ごみ箱は、リビング室又はダイニング室から目立ち易く、見栄えが悪い。
【先行技術文献】
【特許文献】
【０００５】
【特許文献１】特開平１１−４９３０３号公報
【考案の概要】
【考案が解決しようとする課題】
【０００６】
本考案は、上記の点に鑑み、キッチンユニットが設置されている住宅のキッチン室内に、ダストボックスユニットを、キッチン室内のスペース効率がよく、ダストボックスが目立つことがなく、且つ、生ゴミなどの匂いが外部に漏れにくい状態で設置するダストボックス付きキッチンの構造を提供することを目的としている。
【０００７】
さらに、本考案は、ダストボックスユニットを構成するダストボックスの引き出し収納が容易で、ゴミの出し入れも容易なダストボックス付きキッチンの構造を提供することを目的としている。
【課題を解決するための手段】
【０００８】
前記目的を達成するための手段を、図の実施形態を参照して説明する。
請求項１に係る本考案は、住宅室内にキッチンユニット１が設置され、キッチンユニット１上部の流し台本体２の下部空間３内に、ダストボックスユニット１０が設けられたダストボックス付きキッチンの構造であって、
前記ダストボックスユニット１０は、内底部上にダストボックス１６などが支持自在とされ、底部に移動用キャスター１２が設けられたワゴン枠体１１と、ワゴン枠体１１の前面に固定された正面板１３であって、前記キッチンユニット１の前面板と面一になる正面板１３と、を有し、
前記正面板１３の前面には引き出し用の把手部１４が設けられ、前記ワゴン枠体１１背部の把手部１４の下方位置には、重錘１５が設けられている。
前記ダストボックスユニット１０は、前記把手部１４を持って前記キッチンユニット１の前方に引き出し収納自在とされていることを特徴とする。
【０００９】
上記ワゴン枠体１１の内底部にはダストボックス１６などが支持自在とされ、ゴミの収納保持空間とされるが、そのダストボックス１６などの配置のレイアウトは自由である。例えば、ワゴン枠体１１の内底部の上部に一個又は複数個のダストボックス１６などが載置され、該上部の他の部分には、上面を開口したゴミ袋１７などを取り出し自在に支持させることができる。
【００１０】
請求項２に係る本考案では、前記ダストボックスユニット１０は、前記キッチンユニット１上部の前記流し台本体２におけるシンク４の下部空間３内に設けられていることを特徴とする。
【００１１】
上記ダストボックス付きキッチンの構造では、上部にダストボックス１６やゴミ袋１７などが支持されるワゴン枠体１１を、キッチンユニット１上部の流し台本体２におけるシンク４の下部空間３内に、キッチンユニット１の前方に引き出し収納自在に設けている。
これにより、ダストボックス１６などが目立つことがなく、キッチン室内のスペース効率が良い。また、ゴミの匂いなども流し台本体２の下部空間３内に封入され、連続するダイニング室又はリビング室内に移動することが防止される。
ダストボックスユニット１０の正面板１３は、その収納状態において、キッチンユニット１の前面板の一部を構成し、化粧面となって面一になるところから、見栄えも良く、スペース効率も良好である。シンク４の下部空間３には充分なスペースがあるところから、ワゴン枠体１１に複数のダストボックス１６又はごみ袋１７を載置又は保持させることができ、分別ゴミ出しにも有効に対応できる。
さらに、ダストボックスユニット１０を把手部１４を持って引き出す時に、ダストボックスユニット１０には前下方に傾く力が生じ、ダストボックスユニット１０の後部が上方に持ち上がってガタツキ、シンク４の下面にぶつかる恐れがあるが、把手部１４下方の重錘１５により、ダストボックスユニット１０の引き出し移動が水平に保たれ、そのような恐れはなく、ダストボックスユニット１０のキャスター１２による引き出し収納操作がスムーズとなる。
【００１２】
請求項３に係る本考案では、前記把手部１４は、前記正面板１３の前面において横方向に長尺なバー体により構成され、前記重錘１５は、横方向に長尺な金属板体若しくは棒体であって、横方向に連続又は断続して設けられていることを特徴とする。
【００１３】
上記の構成により、ダストボックスユニット１０のキャスター１２による引き出し収納操作時の左右のバランスが一層良好となり、引き出し収納操作がスムーズとなる。
【００１４】
請求項４に示すように、前記把手部１４は、前記正面板１３前面の複数位置に設けられた複数の把手よりなり、前記重錘１５は、前記ワゴン枠体１１背部に間隔をおいて設けられた複数の重錘により構成することができる。
【００１５】
上記の構成により、把手部１４又は重錘１５の取り付け作業が容易になる。
【００１６】
請求項５に示す本考案では、前記把手部１４は、前記正面板１３の上下方向の中間線よりも上方の位置に設けられ、前記重錘１５は、前記把手部１４よりも下方の位置における、前記ワゴン枠体１１の背部に設けられている。
このような構成とすることにより、ダストボックスユニット１０の引き出し収納操作を一層スムーズに行わせることができ、望ましい。
【考案の効果】
【００１７】
本考案に係る上記ダストボックス付きキッチンの構造では、上部にダストボックスやゴミ袋などが支持されるワゴン枠体を、キッチンユニット上部の流し台本体における下部空間内に、キッチンユニットの前方に引き出し収納自在に設けており、該下部空間を有効に利用でき、キッチン室内のスペース効率が良い。流し台本体におけるシンクの下部空間には充分なスペースがあるところから、ワゴン枠体に複数のダストボックス又はごみ袋を載置又は保持させることができ、分別ゴミ出しにも有効に対応できる。さらに、ダストボックスなどが目立つことがなく、複数のダストボックスなどを効率よく配置できることから、ゴミの分別処理にも対応でき、キッチン空間の見栄えも良い。
また、ゴミの匂いなども流し台本体の下部空間内に封入され、連続するダイニング室又はリビング室内に移動することが防止され、衛生的である。
【００１８】
本考案では、キッチン床上にダストボックスが無いことから、キッチン内での動線を確保でき、キッチン床を汚すことがない。
本考案では、流し台本体におけるシンクの下部にダストボックスが位置するところから、調理にともなう生ゴミの発生直後に、キッチンユニットを流し台本体の下からスムーズに引き出して廃棄でき、生ゴミを捨てる距離が短くなり、液垂れなどを減少させることができる。
【００１９】
本考案では、ダストボックスユニットの正面板は、その収納状態において、キッチンユニットの前面板の一部を構成し、化粧面となって面一になるところから、見栄えも良く、スペース効率も良好である。
【００２０】
ダストボックスユニットを把手部を持って引き出す時に、ダストボックスユニットには前下方に傾く力が生じ、ダストボックスユニットの後部が上方に持ち上がってガタツキ、シンクの下面にぶつかる恐れがあるが、本考案では、把手部下方の重錘により、ダストボックスユニットの引き出し移動が水平に保たれ、そのような恐れはなく、ダストボックスユニットのキャスターによる引き出し収納操作がスムーズとなる効果がある。
【００２１】
請求項３に係る本考案では、把手部は、正面板の前面において横方向に長尺なバー体により構成され、重錘は、横方向に長尺な金属板体若しくは棒体であって、横方向に連続又は断続して設けられているところから、ダストボックスユニットのキャスターによる引き出し収納操作時の左右のバランスが一層良好となり、引き出し収納操作がスムーズとなる効果がある。
【図面の簡単な説明】
【００２２】
【図１】本考案にかかるダストボックス付きキッチンユニットが設けられた集合住宅の部屋内部の要部斜視図である。
【図２】同キッチンユニット部分の正面図である。
【図３】同キッチンユニット部分内部の要部の正面図である。
【図４】同キッチンユニット部分内部のIV−IV線（図２）から見た拡大側面図である。
【図５】本考案にかかるダストボックス付きキッチンユニットが設けられた集合住宅の部屋内部の平面図である。
【図６】本考案にかかるダストボックス付きキッチンユニットが設けられた集合住宅の他の例の部屋内部の平面図である。
【考案を実施するための形態】
【００２３】
以下、本考案を適用した実施の形態例を図１〜図４を参照して説明する。
図１、図２、図３、図４は、本考案の第１実施形態を示す。
実施形態に係る本考案に係るダストボックス付きキッチンの構造では、住宅室内にキッチンユニット１が設置され、キッチンユニット１上部の流し台本体２の下部空間３内に、ダストボックスユニット１０が設けられている。ダストボックスユニット１０は、キッチンユニット１上部の前記流し台本体２におけるシンク４の下部空間３内に設けられている。
【００２４】
上記ダストボックスユニット１０は、内底部上にダストボックス１６などが支持自在とされ、底部に移動用キャスター１２が設けられたワゴン枠体１１と、ワゴン枠体１１の前面に固定された正面板１３であって、キッチンユニット１の前面板と面一になる正面板１３と、を有している。正面板１３の上下長さは、ワゴン枠体１１の上下長さの略２倍の長さとされている。ダストボックスユニット１０のキッチンユニット１内への収納状態において、正面板１３の上部は、キッチンユニット１の化粧前面板を構成する上幕板５と面一となって上下方向に連続している。正面板１３は、その収納状態において、キッチンユニット１の化粧前面板の一部を構成し、化粧面となって面一になるところから、見栄えも良く、スペース効率も良好である。上幕板５の背部にシンク４が設けられている。
【００２５】
ワゴン枠体１１は、上面を矩形開口とし、底板１１Ａを有する矩形の枠体により構成されている。
【００２６】
本実施形態では、ワゴン枠体１１の底板１１Ａの内底部の上部に一個又は複数個（３個）のダストボックス１６が横方向に並列して載置され、該上部の他側の部分には、上面を開口したゴミ袋１７などが上方向に取り出し自在に支持されている。ゴミ袋１７は、ワゴン枠体１１の内底部上の、前後に設けられ、前後２個のゴミ袋１７の上面開口は、略コ型又は略口型の枠部に架けられており、押え枠具により着脱自在に押さえられている。上記底板１１Ａは網状又は桟の並列であって良い。
【００２７】
ワゴン枠体１１の前面に固定された上記正面板１３の前面には引き出し用の把手部１４が設けられ、ワゴン枠体１１背部の背板の外面における、上記把手部１４の下方位置には、重錘１５が設けられている。
【００２８】
上記把手部１４は、正面板１３の前面において横方向に長尺な平面略コ型のバー体により構成されている。また、重錘１５は、横方向に長尺な金属板体若しくは棒体であって、横方向に連続又は断続して設けられている。
【００２９】
重錘１５は、鉄板や鉄棒などの重量のある金属長体や、金属と木又はプラスチックの複合体により形成されている。
【００３０】
把手部１４は、正面板１３の前面の上部に横方向に連続して形成された手掛け溝状であっても良い。また、複数の把手が横方向に間隔を置いて設けられていても良い。
【００３１】
把手部１４は、正面板１３の上下方向の中間線よりも上方の位置に設けられ、重錘１５は、把手部１４よりも下方の位置における、ワゴン枠体１１の背部の上縁部に沿って設けられている。把手部１４は、正面板１３の上縁部に近い位置に該上縁部に沿って設けられ、重錘１５は、把手部１４よりも下方の位置における、ワゴン枠体１１の背部の中間又は上部に設けられている。このような構成とすることにより、ダストボックスユニット１０の引き出し収納操作を、ガタツキなく一層スムーズに行わせることができる。
【００３２】
上記ダストボックス付きキッチンの構造において、上部にダストボックス１６やゴミ袋１７などが支持されるワゴン枠体１１が、キッチンユニット１上部の流し台本体２におけるシンク４の下部空間３内に、キッチンユニット１の前方に引き出し収納自在に設けられる。
【００３３】
この収納状態から、把手部１４を持ってダストボックス１６を前方に引き出し、ゴミの収納取り出しを行う。本実施形態では、流し台本体２におけるシンク４の下部にダストボックス１６などが位置するところから、調理にともなう生ゴミの発生直後に、キッチンユニット１を流し台本体２の下からスムーズに引き出して廃棄でき、生ゴミを捨てる距離が短くなり、液垂れなどを減少させることができる。
【００３４】
ダストボックスユニット１０の正面板１３は、その収納状態において、キッチンユニット１の前面板の一部を構成し、化粧面となって面一になるところから、見栄えも良く、スペース効率も良好である。シンク４の下部空間３には充分なスペースがあるところから、ワゴン枠体１１に複数のダストボックス１６又はごみ袋１７を載置又は保持させることができ、分別ゴミ出しにも容易に対応できる。
【００３５】
さらに、ダストボックスユニット１０を把手部１４を持って引き出す時に、ダストボックスユニット１０には前下方に傾く力が生じ、ダストボックスユニット１０の後部が上方に持ち上がって、ガタツキ、シンク４の下面にぶつかる恐れがあるが、把手部１４下方の重錘１５により、ダストボックスユニット１０の引き出し移動が水平に保たれ、そのような恐れはなく、ダストボックスユニット１０のキャスター１２による引き出し収納操作がスムーズとなる。
【００３６】
図５及び図６は、上記本考案の実施形態に係る、ダストボックス付きキッチンの構造を適応した、住宅室内の一例を示すものである。
【００３７】
図５は、集合住宅としてのマンションの室内にダストボックス付きキッチンの構造を適応したものである。
この例では、キッチンユニット１が、３ＬＤＫの間取りを有するマンションのダイニング・キッチン室６のフロアーの中間部分に設けられ、シンク４の下部空間に上述したダストボックスユニット１が設けられている。
【００３８】
図６の例では、キッチンユニット１が、３ＬＤＫの間取りを有するマンションのダイニング・キッチン室６のフロアーの一側部に設けられ、シンク４の下部空間に上述したダストボックスユニット１が設けられている。
【符号の説明】
【００３９】
１  キッチンユニット
２  流し台本体
３  下部空間
４  シンク
５  上幕板
６  ダイニング・キッチン室
１０  ダストボックスユニット
１１  ワゴン枠体，１１Ａ  底板
１２  キャスター
１３  正面板
１４  把手部
１５  重錘
１６  ダストボックス
１７  ごみ袋
【図１】
0003203866.tif 000003
【図２】
0003203866.tif 000004
【図３】
0003203866.tif 000005
【図４】
0003203866.tif 000006
【図５】
0003203866.tif 000007
【図６】
0003203866.tif 000008